(57)【要約】【課題】エネルギーを無駄に消費することなく、建物の換気を行うことにより建物内の空気質を改善できる換気システムおよびそれに用いる制御装置を提供する。【解決手段】個別計測器３は、建物１の内および外の空気質を計測する。制御装置４は、個別計測器３の計測結果に基づいて換気設備２を制御し、建物１内の空気質より建物１外の空気質の方が良好である場合に換気設備２を稼動させる。分散計測器Ｍ１，Ｍ２，Ｍ３…は、建物１の周囲に設定された監視地域内の複数の観測地点に分散して配置され各観測地点の空気質を計測する。制御装置４は、分散計測器Ｍ１，Ｍ２，Ｍ３…の計測結果に基づいて、空気質が異常値を示す汚染空気が建物１に到達するか否かを予測する予測部４１１を有している。制御装置４は、予測部４１１で汚染空気の到達が予測された場合、個別計測器３の計測結果にかかわらず換気設備２を停止させるように構成されている。【選択図】図１
2014222116.tif 000002
【特許請求の範囲】
【請求項１】
建物の換気を行う換気設備と、
前記建物の内および外の空気質を計測する個別計測器と、
前記個別計測器の計測結果に基づいて前記換気設備を制御し、前記建物内の空気質より当該建物外の空気質の方が良好である場合に前記換気設備を稼動させる制御装置と、
前記建物の周囲に設定された監視地域内の複数の観測地点に分散して配置され各観測地点の空気質を計測する複数台の分散計測器とを備え、
前記制御装置は、
前記複数台の前記分散計測器の計測結果に基づいて、空気質が異常値を示す汚染空気が前記建物に到達するか否かを予測する予測部を有し、
前記予測部で前記汚染空気の到達が予測された場合、前記個別計測器の計測結果にかかわらず前記換気設備を停止させるように構成されている
ことを特徴とする換気システム。
【請求項２】
前記換気設備とは別に前記建物に設けられ当該建物内の空気質を改善する空調設備をさらに備え、
前記制御装置は、前記空調設備を制御する機能をさらに有し、少なくとも前記換気設備を停止させる期間には前記空調設備を稼動させるように構成されている
ことを特徴とする請求項１に記載の換気システム。
【請求項３】
前記予測部は、前記汚染空気の到達が予測される場合、当該汚染空気が前記建物に到達するタイミングを予測する機能をさらに有し、
前記制御装置は、前記予測部で予測されたタイミングに合わせて前記換気設備を停止させるように構成されている
ことを特徴とする請求項１または２に記載の換気システム。
【請求項４】
前記制御装置は、
前記観測地点の風向および風速に関する情報を取得する取得部をさらに有し、
当該取得部にて取得した情報を用いて前記予測部で予測を行うように構成されている
ことを特徴とする請求項１〜３のいずれか１項に記載の換気システム。
【請求項５】
前記制御装置は、前記予測部で前記汚染空気の到達が予測されてから所定時間の経過後に、前記個別計測器で前記建物内の空気質より前記建物外の空気質の方が良好との計測結果が得られた場合、前記換気設備を再稼動させるように構成されている
ことを特徴とする請求項１〜４のいずれか１項に記載の換気システム。
【請求項６】
前記建物は複数の階層を有しており、
前記制御装置は、階層ごとに前記換気設備を制御し、前記予測部で前記汚染空気の到達が予測された場合、前記汚染空気の到達が早い階層から順に前記換気設備を停止させるように構成されている
ことを特徴とする請求項１〜５のいずれか１項に記載の換気システム。
【請求項７】
前記制御装置は、
前記複数台の前記分散計測器の計測結果の履歴を記憶する記憶部をさらに有し、
前記記憶部に記憶された履歴から前記汚染空気の拡散パターンを学習して前記予測部での予測に用いるように構成されている
ことを特徴とする請求項１〜６のいずれか１項に記載の換気システム。
【請求項８】
前記制御装置は、
人が前記建物へ到着するタイミングを予測する到着予測部をさらに有し、
前記到着予測部で予測されるタイミングに合わせて前記建物内の空気質を改善するように構成されている
ことを特徴とする請求項１〜７のいずれか１項に記載の換気システム。
【請求項９】
前記制御装置は、
前記到着予測部で予測されるタイミングと前記建物内の空気質の改善に要する時間とから、当該建物内の空気質の改善の開始タイミングを逆算するように構成されている
ことを特徴とする請求項８に記載の換気システム。
【請求項１０】
建物の内および外の空気質を計測する個別計測器の計測結果に基づいて、当該建物の換気を行う換気設備を制御し、前記建物内の空気質より当該建物外の空気質の方が良好である場合に前記換気設備を稼動させる制御装置であって、
前記建物の周囲に設定された監視地域内の複数の観測地点に分散して配置され各観測地点の空気質を計測する複数台の分散計測器の計測結果に基づいて、空気質が異常値を示す汚染空気が前記建物に到達するか否かを予測する予測部を有し、
前記予測部で前記汚染空気の到達が予測された場合、前記個別計測器の計測結果にかかわらず前記換気設備を停止させるように構成されている
ことを特徴とする制御装置。
【発明の詳細な説明】
【技術分野】
【０００１】
本発明は、建物の換気を行うことにより建物内の空気質を改善する換気システムおよびそれに用いる制御装置に関する。
【背景技術】
【０００２】
従来から、対象空間の空気質を向上させるための設備として、室内の空気中の臭気成分、塵埃等を除去することで清浄化させた空気を再び室内に戻す空気清浄機が知られている（たとえば特許文献１参照）。
【０００３】
特許文献１に記載の空気清浄機は、プレフィルタ、プラズマイオン化部、光触媒フィルタ、プラズマ触媒フィルタからなる空気清浄部を備え、吸込口から吸い込まれた室内の空気中に含まれる異物を除去して空気を清浄化する。この空気清浄機は、プレフィルタを通過した空気流に含まれる塵埃等をプラズマイオン化部で帯電させて、光触媒フィルタを通過する際に吸着する。
【０００４】
また、室内の空気質を最適に保つために、空気清浄部に加えて換気設備（換気機能部）を有し、全体の消費電力が少なくなるように空気清浄部と換気設備とを選択・運転して処理する手段を備えた空気清浄装置が提案されている（たとえば特許文献２参照）。特許文献２には、空気清浄部は送風部以外に空気中の粉塵を除去する除塵部などが必要なため、同じ処理風量に対しては換気設備より消費電力が大きく、内外温度が小さい場合は、換気設備のみでガス・粉塵を除去した方が省エネルギーになることの記載がある。
【先行技術文献】
【特許文献】
【０００５】
【特許文献１】特開２００８−３６４６６号公報
【特許文献２】特開平１１−１９０５４９号公報
【発明の概要】
【発明が解決しようとする課題】
【０００６】
しかし、特許文献２に記載の空気清浄装置では、換気設備は、室内空気と室外空気とを交換するので、状況によっては建物内（室内）の空気質の改善に有効でない場合がある。たとえば、建物周辺に空気質が異常値を示すような空気（以下、「汚染空気」という）が存在するような状況においては、換気設備は、建物外から建物内に汚染空気を取り込むことになる。その結果、建物内の空気質の改善効果は期待できないにもかかわらず換気設備が運転することになるので、換気設備は、エネルギー（電力）を無駄に消費することになる。
【０００７】
本発明は上記事由に鑑みて為されており、エネルギーを無駄に消費することなく、建物の換気を行うことにより建物内の空気質を改善できる換気システムおよびそれに用いる制御装置を提供することを目的とする。
【課題を解決するための手段】
【０００８】
本発明の換気システムは、建物の換気を行う換気設備と、前記建物の内および外の空気質を計測する個別計測器と、前記個別計測器の計測結果に基づいて前記換気設備を制御し、前記建物内の空気質より当該建物外の空気質の方が良好である場合に前記換気設備を稼動させる制御装置と、前記建物の周囲に設定された監視地域内の複数の観測地点に分散して配置され各観測地点の空気質を計測する複数台の分散計測器とを備え、前記制御装置は、前記複数台の前記分散計測器の計測結果に基づいて、空気質が異常値を示す汚染空気が前記建物に到達するか否かを予測する予測部を有し、前記予測部で前記汚染空気の到達が予測された場合、前記個別計測器の計測結果にかかわらず前記換気設備を停止させるように構成されていることを特徴とする。
【０００９】
この換気システムにおいて、前記換気設備とは別に前記建物に設けられ当該建物内の空気質を改善する空調設備をさらに備え、前記制御装置は、前記空調設備を制御する機能をさらに有し、少なくとも前記換気設備を停止させる期間には前記空調設備を稼動させるように構成されていることが望ましい。
【００１０】
この換気システムにおいて、前記予測部は、前記汚染空気の到達が予測される場合、当該汚染空気が前記建物に到達するタイミングを予測する機能をさらに有し、前記制御装置は、前記予測部で予測されたタイミングに合わせて前記換気設備を停止させるように構成されていることがより望ましい。
【００１１】
この換気システムにおいて、前記制御装置は、前記観測地点の風向および風速に関する情報を取得する取得部をさらに有し、当該取得部にて取得した情報を用いて前記予測部で予測を行うように構成されていることがより望ましい。
【００１２】
この換気システムにおいて、前記制御装置は、前記予測部で前記汚染空気の到達が予測されてから所定時間の経過後に、前記個別計測器で前記建物内の空気質より前記建物外の空気質の方が良好との計測結果が得られた場合、前記換気設備を再稼動させるように構成されていることがより望ましい。
【００１３】
この換気システムにおいて、前記建物は複数の階層を有しており、前記制御装置は、階層ごとに前記換気設備を制御し、前記予測部で前記汚染空気の到達が予測された場合、前記汚染空気の到達が早い階層から順に前記換気設備を停止させるように構成されていることがより望ましい。
【００１４】
この換気システムにおいて、前記制御装置は、前記複数台の前記分散計測器の計測結果の履歴を記憶する記憶部をさらに有し、前記記憶部に記憶された履歴から前記汚染空気の拡散パターンを学習して前記予測部での予測に用いるように構成されていることがより望ましい。
【００１５】
この換気システムにおいて、前記制御装置は、人が前記建物へ到着するタイミングを予測する到着予測部をさらに有し、前記到着予測部で予測されるタイミングに合わせて前記建物内の空気質を改善するように構成されていることがより望ましい。
【００１６】
この換気システムにおいて、前記制御装置は、前記到着予測部で予測されるタイミングと前記建物内の空気質の改善に要する時間とから、当該建物内の空気質の改善の開始タイミングを逆算するように構成されていることがより望ましい。
【００１７】
本発明の制御装置は、建物の内および外の空気質を計測する個別計測器の計測結果に基づいて、当該建物の換気を行う換気設備を制御し、前記建物内の空気質より当該建物外の空気質の方が良好である場合に前記換気設備を稼動させる制御装置であって、前記建物の周囲に設定された監視地域内の複数の観測地点に分散して配置され各観測地点の空気質を計測する複数台の分散計測器の計測結果に基づいて、空気質が異常値を示す汚染空気が前記建物に到達するか否かを予測する予測部を有し、前記予測部で前記汚染空気の到達が予測された場合、前記個別計測器の計測結果にかかわらず前記換気設備を停止させるように構成されていることを特徴とする。
【発明の効果】
【００１８】
本発明は、制御装置が、複数台の分散計測器の計測結果に基づいて、空気質が異常値を示す汚染空気が建物に到達するか否かを予測する予測部を有し、予測部で汚染空気の到達が予測された場合、個別計測器の計測結果にかかわらず換気設備を停止させる。したがって、エネルギーを無駄に消費することなく、建物の換気を行うことにより建物内の空気質を改善できるという利点がある。
【図面の簡単な説明】
【００１９】
【図１】実施形態１に係る換気システムの概略ブロック図である。
【図２】実施形態１に係る分散計測器の配置を示す概略平面図である。
【図３】実施形態１に係る換気システムの動作例を示すフローチャートである。
【発明を実施するための形態】
【００２０】
（実施形態１）
本実施形態の換気システムは、建物に適用され、建物の換気を行うことにより建物内の空気質を改善するシステムである。以下では、戸建住宅に換気システムが適用された例を示すが、換気システムが適用される建物は戸建住宅に限らず、たとえば集合住宅、店舗、オフィスビル、工場などであってもよい。
【００２１】
換気システム１０は、図１に示すように、建物１の換気を行う換気設備２と、個別計測器３と、制御装置４と、複数台の分散計測器Ｍ１，Ｍ２，Ｍ３…（以下、各々を区別しない場合には「分散計測器Ｍ０」という）とを備えている。また、図１に例示する換気システム１０は、空調装置としての空気清浄機６１およびエアコン（エアーコンディショナ）６２をさらに備えている。図１の例では、建物１にはユーザ端末７１と電力計測器７２とネットワーク機器７３，７４がさらに設けられている。制御装置４およびネットワーク機器７３，７４は、ルータ７５を介してインターネット８に接続されており、インターネット８には管理装置９１およびサーバ９２が接続されている。
【００２２】
個別計測器３は、建物１の内および外の空気質を計測する。制御装置４は、個別計測器３の計測結果に基づいて換気設備２を制御し、建物１内の空気質より建物１外の空気質の方が良好である場合に換気設備２を稼動させる。複数台の分散計測器Ｍ１，Ｍ２，Ｍ３…は、建物１の周囲に設定された監視地域内の複数の観測地点に分散して配置され各観測地点の空気質を計測する。
【００２３】
ここでいう空気質は、ＳＯｘやＮＯｘや粒子状物質（ＰＭ：Particulate Matter）や揮発性有機化合物（ＶＯＣ：Volatile Organic Compounds）等の大気汚染物質、ＣＯ、ＣＯ２、臭気、花粉などのうち１つ以上についての空気中の成分濃度を意味している。ただし、個別計測器３および各分散計測器Ｍ１，Ｍ２，Ｍ３…は、上記空気質に加えて、温度、湿度などの空気環境に関する情報を計測するように構成されている。なお、揮発性有機化合物は、ホルムアルデヒド、ベンゼン、トルエン、キシレン、スチレン等の１種類以上を含む。
【００２４】
制御装置４は、複数台の分散計測器Ｍ１，Ｍ２，Ｍ３…の計測結果に基づいて、空気質が異常値を示す空気（以下、「汚染空気」という）が建物１に到達するか否かを予測する予測部４１１を有している。制御装置４は、予測部４１１で汚染空気の到達が予測された場合、個別計測器３の計測結果にかかわらず換気設備２を停止させるように構成されている。
【００２５】
日本の厚生労働省によれば、たとえばホルムアルデヒドについては０．１０ｍｇ／ｍ３以下、総揮発性有機化合物（ＴＶＯＣ：Total Volatile Organic Compounds）については０．４０ｍｇ／ｍ３以下を室内濃度指標値としている。中国の室内空気質量標準（ＧＢ１８８８３）によれば、ホルムアルデヒドについては０．０８ｍｇ／ｍ３以下、ベンゼンについては０．１１ｍｇ／ｍ３以下、総揮発性有機化合物については０．６０ｍｇ／ｍ３以下を指標値としている。本実施形態では、一例として、空気質がこれらの指標値で示される範囲から逸脱する空気を、空気質が異常値を示す汚染空気として扱う。
【００２６】
ただし、空気質の異常値は、これらの指標値によって定められる値に限らず、たとえば建物１内の空気質よりも悪い状態の空気質を異常値としてもよい。すなわち、制御装置４は、個別計測器３で計測されている建物１内の空気質を基準値とし、空気質が基準値より高い（悪い）値を示す空気を、空気質が異常値を示す汚染空気として扱ってもよい。
【００２７】
空気清浄機６１およびエアコン６２は、換気設備２とは別に建物１に設けられ建物１内の空気質を改善する空調設備である。エアコン６２は、たとえばフィルタにより空気中の浮遊粒子を除去したり、温度を下げることによりＶＯＣの飛散量を減少させたりすることで空気質を改善する。本実施形態では、制御装置４は、空調設備（空気清浄機６１およびエアコン６２）を制御する機能をさらに有し、少なくとも換気設備２を停止させる期間には空調設備を稼動させるように構成されている。
【００２８】
制御装置４は、種々の情報を表示したりユーザからの操作入力を受け付けたりするためのユーザインタフェースとして、ユーザ端末７１を利用する。ここでは、ユーザ端末７１は、スマートフォンやタブレット端末等、ユーザが携帯可能であって、制御装置４との通信機能を有する端末からなる。
【００２９】
電力計測器７２は、系統電源（商用電源）から供給される電力を、主幹系統および分岐系統ごとに計測するように構成されている。具体的には、建物１に設けられた分電盤（図示せず）に主幹ブレーカ（図示せず）と複数の分岐ブレーカ（図示せず）とが収納されており、電力計測器７２は、主幹ブレーカを含む主幹系統、および各分岐ブレーカを含む分岐系統ごとに消費電力を計測する。電力計測器７２は制御装置４に接続されており、制御装置４は、たとえば電力計測器７２の計測結果をユーザ端末７１に表示させることが可能である。
【００３０】
ネットワーク機器７３，７４は、たとえばテレビ受像機やネットワークカメラなどである。制御装置４は、これらのネットワーク機器７３，７４を制御する機能をさらに有し、たとえばユーザ端末７１と同様に種々の情報を表示するのに用いることができる。
【００３１】
このように、本実施形態では制御装置４は、換気設備２だけでなく、建物１に設けられている種々の機器、設備を制御したり、電力計測器７２で計測された消費電力を可視化（見える化）したりする。言い換えれば、制御装置４は、ＨＥＭＳ（Home Energy Management System）のコントローラとして機能する。
【００３２】
管理装置９１は、コンピュータからなり、監視地域の情報を集中管理する機能を有している。管理装置９１は、建物１の周囲に設定された監視地域ごとに設けられていてもよいし、複数の監視地域を含む広域の管理地域ごとに設けられていてもよい。
【００３３】
サーバ９２は、たとえば天気予報サーバなどからなり、少なくとも観測地点の風向および風速に関する情報を制御装置４に提供する機能を有している。本実施形態では、制御装置４は、サーバ９２から観測地点の風向および風速に関する情報を取得する取得部４１４をさらに有し、取得部４１４にて取得した情報を用いて予測部４１１で予測を行うように構成されている。サーバ９２は、観測地点の風向および風速の他、温度および湿度等についても、制御装置４へ提供する。
【００３４】
以下、本実施形態の換気システム１０の具体的な態様について説明する。
【００３５】
換気設備２は、モータ（図示せず）などの動力源を有しており、電気エネルギー（電力）を消費して動力源が発生する動力にて、建物１の内と外とで空気の交換（入れ換え）を行うことによって建物１の換気を行う。換気設備２は、たとえば天井裏に通したダクトを用いて換気するダクト式であってもよいし、建物１の壁に取り付けられる壁付け式であってもよい。また、換気の種別としてたとえば第一種換気、第二種換気、第三種換気のような分類がある場合、換気設備２の換気の種別は、第一種換気、第二種換気、第三種換気のいずれであってもよい。換気設備２は、たとえば部屋ごとに１ないし複数台ずつ設けられていてもよいが、本実施形態では、１つの建物１に対して１台の換気設備２が設けられていると仮定して説明する。
【００３６】
換気設備２は、制御装置４との通信機能を有しており、制御装置４から送信される制御信号に従って少なくとも稼動・停止の切り替えを行うように構成されている。さらに、換気設備２は、制御装置４からの制御信号に従って、換気風量（強・弱）を決定する機能も有している。
【００３７】
個別計測器３は、ＳＯｘセンサ、ＮＯｘセンサ、浮遊粒子センサ、ＶＯＣセンサ、ＣＯ２センサ、臭気センサなど、空気質に関連した情報を検出する１つ以上のセンサと、温度センサや湿度センサとを複合的に組み合わせて構成されている。個別計測器３は、建物１の内と外とのそれぞれについて空気質を計測するので、上述したようなセンサを建物１の内と外とにそれぞれ備えている。ここでは、建物１内に設けられたセンサを室内センサ３１とし、建物１外に設けられたセンサを室外センサ３２とする。室内センサ３１は室内の壁等に取り付けられ、室外センサ３２は建物１の外壁等に取り付けられる。
【００３８】
個別計測器３は、制御装置４との通信機能を有しており、定期的に、あるいは制御装置４からの要求に対する応答として、計測結果を制御装置４へ出力する。個別計測器３は、各々に複数の項目を含む室内センサ３１の計測結果と室外センサ３２の計測結果とを１組として、制御装置４へ出力する。
【００３９】
各分散計測器Ｍ０は、個別計測器３と同様に、ＳＯｘセンサ、ＮＯｘセンサ、浮遊粒子センサ、ＶＯＣセンサ、ＣＯ２センサ、臭気センサなど、空気質に関連した情報を検出する１つ以上のセンサと、温度センサや湿度センサとを複合的に組み合わせて構成されている。ここで、監視地域内に配置された複数台の分散計測器Ｍ１，Ｍ２，Ｍ３…は、計測器群５を構成する。
【００４０】
一群の計測器群５に属する分散計測器Ｍ１，Ｍ２，Ｍ３…は、各々がセンサノードとなり、互いに協調動作することで監視地域内に設定されている複数の観測地点の空気質の情報を収集可能なセンサネットワークを構築する。本実施形態では、分散計測器Ｍ１，Ｍ２，Ｍ３…はインターネット８に接続され、分散計測器Ｍ１，Ｍ２，Ｍ３…の計測結果は、インターネット８上の管理装置９１にて一元管理される。そのため、各分散計測器Ｍ０は、管理装置９１との通信機能を有しており、定期的に、あるいは管理装置９１からの要求に対する応答として、計測結果を管理装置９１へ出力する。
【００４１】
監視地域１００は、図２に示すように、建物１の周囲に設定された所定範囲の地域である。図２の例では、監視地域１００は、建物１を中心とする同心円上に位置する複数の観測地点を含むように、建物１を中心とする略円形状の範囲に設定されている。分散計測器Ｍ１，Ｍ２，Ｍ３…は、これら複数の観測点に分散して配置されている。図２では、建物１から第１の距離に設定された８箇所の観測地点に分散計測器Ｍ１〜Ｍ８が配置され、建物１から第２の距離（＞第１の距離）にある８箇所の観測地点に分散計測器Ｍ９〜Ｍ１６が配置されている。なお、一例として第１の距離は２ｋｍ、第２の距離は４ｋｍと仮定する。
【００４２】
さらに図２の例では、分散計測器Ｍ１〜Ｍ１６は建物１を中心として北、北東、東、南東、南、南西、西、北西の８つの方向に等角度間隔で配置されている。ここでは、分散計測器Ｍ１および分散計測器Ｍ９は建物１の北、分散計測器Ｍ２および分散計測器Ｍ１０は建物１の北東、分散計測器Ｍ３および分散計測器Ｍ１１は建物１の東、分散計測器Ｍ４および分散計測器Ｍ１２は建物１の南東にそれぞれ配置されている。同様に、分散計測器Ｍ５および分散計測器Ｍ１３は建物１の南、分散計測器Ｍ６および分散計測器Ｍ１４は建物１の南西、分散計測器Ｍ７および分散計測器Ｍ１５は建物１の西、分散計測器Ｍ８および分散計測器Ｍ１６は建物１の北西にそれぞれ配置されている。
【００４３】
計測器群５は、このように分散計測器Ｍ１〜Ｍ１６が建物１の周囲に設定された監視地域１００に分散して配置されることにより、これら複数台の分散計測器Ｍ１〜Ｍ１６の計測結果から、監視地域１００における空気質の分布状況を監視することができる。複数台の分散計測器Ｍ１〜Ｍ１６の計測結果は管理装置９１で一元管理されているので、管理装置９１は、監視地域１００の空気質の分布状況を監視できることになる。
【００４４】
また、各観測地点に空気質に関連した情報を検出するセンサ装置が既に設置されている場合には、分散計測器Ｍ１〜Ｍ１６は、これら既設のセンサ装置を利用してもよい。あるいは、各観測地点に建物が存在する場合には、分散計測器Ｍ１〜Ｍ１６は、各建物に設けられている個別計測器３の室外センサ３２を利用してもよい。各建物の個別計測器は制御装置４を介してインターネット８に接続されているので、個別計測器３を分散計測器Ｍ１〜Ｍ１６に利用する場合でも、管理装置９１は、複数台の分散計測器Ｍ１〜Ｍ１６の計測結果を一元管理できる。
【００４５】
空調設備（空気清浄機６１およびエアコン６２）は、換気以外の方法で建物１内の空気の温度、湿度、清浄度、気流などを調節し、建物１内を快適な状態に保つ装置である。空調装置は、空気清浄機６１およびエアコン６２の他、たとえば床暖房等の冷暖房機器、除湿器、加湿器、サーキュレータ等であってもよい。ただし、ここでいう空調装置は、稼動時に電力やガス等のエネルギーを消費する装置のみを含み、稼動時に何らエネルギーを消費しない装置を含まない。また、空調設備は換気設備２に比べると消費電力が大きい。
【００４６】
空調設備は、制御装置４との通信機能を有しており、制御装置４から送信される制御信号に従って少なくとも稼動・停止の切り替えを行うように構成されている。さらに、空調設備は、制御装置４からの制御信号に従って、運転風量（強・弱）や設定温度を決定する機能も有している。
【００４７】
制御装置４は、図１に示すように、各種の処理を行う処理部４１と、第１通信インタフェース（以下、「インタフェース」を「Ｉ／Ｆ」と表記する）４２と、第２通信Ｉ／Ｆ４３と、記憶部４４と、時計部４５とを有している。本実施形態では、制御装置４は、コンピュータを主構成とし、記憶部４４に格納されたプログラムを実行することにより、各部の機能を実現する。なお、制御装置４は、上記のプログラムを記録媒体から読み込むか、あるいはインターネット８を介してセンタサーバ（図示せず）からダウンロードすることによってインストールする。
【００４８】
第１通信Ｉ／Ｆ４２は、建物１に設けられている種々の機器、設備との間で通信する機能を有している。ここでは、第１通信Ｉ／Ｆ４２は、換気設備２、空調設備（空気清浄機６１およびエアコン６２）、ユーザ端末７１、個別計測器３の各々との間で双方向に通信する。本実施形態では、第１通信Ｉ／Ｆ４２は電波を伝送媒体とする無線通信により換気設備２等と通信するが、制御装置（第１通信Ｉ／Ｆ４２）４と換気設備２等との間の通信は無線通信に限らず有線通信であってもよい。
【００４９】
第２通信Ｉ／Ｆ４３は、インターネット８上の管理装置９１やサーバ９２との間で双方向に通信する機能を有している。第２通信Ｉ／Ｆ４３は、ルータ７５を介してインターネット８に接続されており、Ｅｔｈｅｒｎｅｔ（登録商標）に準拠した通信を行う。さらに、第２通信Ｉ／Ｆ４３は、ネットワーク機器７３，７４との通信機能も有している。
【００５０】
記憶部４４は、各分散計測器Ｍ１〜Ｍ１６が配置されている観測地点の位置情報（建物１からの距離および方角）を含む各種のデータを記憶する。観測地点の位置情報は緯度、経度で表されていてもよい。さらに、本実施形態では、記憶部４４は、複数台の分散計測器Ｍ１〜Ｍ１６の計測結果の履歴を含むデータを記憶する。
【００５１】
時計部４５は、現在時刻を計時する。本実施形態では、時計部４５はカレンダー機能を有しており、日付、現在時刻を計時する。
【００５２】
処理部４１は、換気設備２を制御する換気制御部４１２を有している。ここでは、第１通信Ｉ／Ｆ４２が換気設備２との通信機能を有するので、換気制御部４１２は、第１通信Ｉ／Ｆ４２から換気設備２へ制御信号を送信することによって、換気設備２を制御する。さらに、換気制御部４１２は、換気設備２の動作状態（稼動・停止の別、換気風量等）を示す監視信号を第１通信Ｉ／Ｆ４２にて換気設備２から受信することによって、換気設備２の動作状態を監視する。
【００５３】
換気制御部４１２は、その基本的な動作として、建物１内の空気質より建物１外の空気質の方が良好である場合に換気設備２を稼動させるように、個別計測器３の計測結果に基づいて換気設備２を制御する。反対に、建物１外の空気質より建物１外の空気質の方が良好である場合には、換気制御部４１２は、換気設備２を停止させるように、個別計測器３の計測結果に基づいて換気設備２を制御する。ここでは、第１通信Ｉ／Ｆ４２が個別計測器３との通信機能を有するので、換気制御部４１２は、個別計測器３の計測結果を第１通信Ｉ／Ｆ４２にて取得し、取得した計測結果に基づいて換気設備２を制御する。
【００５４】
具体例として、建物１の内と外とで気温および湿度が同値（気温２２℃、湿度４５％）であり、ＶＯＣ濃度が建物１内で２．２ｍｇ／ｍ３、建物１外で１．０ｍｇ／ｍ３である場合、換気制御部４１２は、換気設備２を稼動させて建物１の換気を行う。このとき、換気システム１０は、空調設備に比べて消費電力が小さい換気設備２を用いて建物１内の空気質を改善するので、空調設備を用いる場合に比べて省エネルギーになる。その後、建物１の内と外とでＶＯＣ濃度が同等になると、換気制御部４１２は、換気設備２を停止させる。
【００５５】
また、処理部４１は、一群の計測器群５を構成する複数台の分散計測器Ｍ１〜Ｍ１６の計測結果に基づいて、空気質が異常値を示す汚染空気が建物１に到達するか否かを予測する予測部４１１を有している。ここでは、第２通信Ｉ／Ｆ４３が管理装置９１との通信機能を有するので、予測部４１１は、複数台の分散計測器Ｍ１〜Ｍ１６の計測結果を第２通信Ｉ／Ｆ４３にて管理装置９１から取得し、取得した計測結果に基づいて汚染空気が建物１に到達するか否かを予測する。
【００５６】
たとえば、監視地域１００外で発生した汚染空気が建物１に向かっている場合、計測器群５は、まず遠距離側（外側）の（建物１から第２の距離にある）分散計測器Ｍ９〜Ｍ１６のいずれかで計測される空気質が異常値を示すことになる。その後、計測器群５は、最初に汚染空気を検出した分散計測器Ｍ９〜Ｍ１６と建物１との間に位置する近距離側（内側）の（建物１から第１の距離にある）分散計測器Ｍ１〜Ｍ８で計測される空気質が異常値を示すことになる。つまり、汚染空気が建物１に向かっていれば、建物１から見て同じ方角に位置する外側の分散計測器Ｍ０と内側の分散計測器Ｍ０とは、順に異常値を計測することになる。
【００５７】
そこで、予測部４１１は、このように建物１から見て同じ方角に位置する外側の分散計測器Ｍ０と内側の分散計測器Ｍ０とが順に異常値を計測した場合には、汚染空気が建物１に到達すると予測する。
【００５８】
換気制御部４１２は、個別計測器３の計測結果に基づいて換気設備２を制御する機能に加え、予測部４１１での予測結果に基づいて換気設備２を制御する機能も有している。換気制御部４１２は、予測部４１１で汚染空気が建物１に到達すると予測された場合、個別計測器３の計測結果にかかわらず換気設備２を停止させる。つまり、換気制御部４１２は、個別計測器３の計測結果よりも予測部４１１の予測結果を優先し、汚染空気の到達が予測部４１１で予測された場合には、換気設備２を停止させるように換気設備２を制御する。
【００５９】
さらに、本実施形態では、処理部４１は空調設備を制御する空調制御部４１３を有している。ここでは、第１通信Ｉ／Ｆ４２が空調設備（空気清浄機６１およびエアコン６２）との通信機能を有するので、空調制御部４１３は、第１通信Ｉ／Ｆ４２から空調設備へ制御信号を送信することによって、空調設備を制御する。さらに、空調制御部４１３は、空調設備の動作状態（稼動・停止の別、運転風量等）を示す監視信号を第１通信Ｉ／Ｆ４２にて空調設備から受信することによって、空調設備の動作状態を監視する。
【００６０】
空調制御部４１３は、少なくとも換気設備２を停止させる期間には空調設備を稼動させるように構成されている。すなわち、個別計測器３の計測結果において建物１外の空気質より建物１外の空気質の方が良好である場合、および予測部４１１で汚染空気が建物１に到達すると予測された場合には、空調制御部４１３は、空調設備を稼動させるように制御する。これにより、換気システム１０は、汚染空気が建物１に到達する前に、換気設備２を停止し、空調設備による空気質の改善に切り替えることができる。なお、空調制御部４１３は、空気清浄機６１を稼動させる際、エアコン６２を送風モードで稼動させることにより建物１内の空気を循環させ、空気清浄機６１による空気質の改善効率を向上させてもよい。
【００６１】
本実施形態では、予測部４１１は、汚染空気の到達が予測される場合、汚染空気が建物１に到達するタイミングを予測する機能をさらに有しており、制御装置４は、予測部４１１で予測されたタイミングに合わせて換気設備２を停止させるように構成されている。つまり、予測部４１１は、汚染空気が建物１に到達すると予測した場合には、建物１に汚染空気が到達するタイミング（以下、「到達タイミング」という）についても予測する。
【００６２】
すなわち、予測部４１１は、上述したように建物１から見て同じ方角に位置する外側の分散計測器Ｍ０と内側の分散計測器Ｍ０とが順に異常値を計測した場合に、この汚染空気の到達タイミングを予測する。この場合、予測部４１１は、たとえば外側の分散計測器Ｍ０が異常値を計測した時刻と、内側の分散計測器Ｍ０が異常値を計測した時刻とに基づいて、汚染空気が建物１に到達する時刻（到達タイミング）を予測する。つまり、外側の分散計測器Ｍ９が異常値を計測してから、内側の分散計測器Ｍ１が異常値を計測するまでに５分掛かった場合、予測部４１１は、内側の分散計測器Ｍ１が異常値を計測したさらに５分後を到達タイミングとして予測する。なお、予測部４１１は、時刻ではなく、汚染空気が建物１に到達するまでに掛かる時間によって到達タイミングを表してもよい。
【００６３】
換気制御部４１２は、時計部４５で計時されている現在時刻が、予測部４１１で予測された到達タイミングの規定時間前になると、個別計測器３の計測結果にかかわらず換気設備２を停止させる。ここで、規定時間は、予測部４１１で予測された到達タイミングよりも汚染空気が建物１に早く到達することを見越して設定される時間であって、ユーザによって任意に設定される。つまり、換気制御部４１２は、予測部４１１で建物１に汚染空気が到達すると予測された時点ですぐに換気設備２を停止させるのではなく、到達タイミングに合わせて換気設備２を停止させる。
【００６４】
また、本実施形態では、処理部４１は、観測地点の風向および風速に関する情報を取得する取得部４１４をさらに有しており、取得部４１４にて取得した情報を用いて予測部４１１で予測を行うように構成されている。ここでは、第２通信Ｉ／Ｆ４３がサーバ９２との通信機能を有するので、取得部４１４は、観測地点の風向および風速に関する情報を第２通信Ｉ／Ｆ４３にてサーバ９２から取得する。
【００６５】
記憶部４４は、各分散計測器Ｍ１〜Ｍ１６が配置されている観測地点の位置情報（建物１からの距離および方角）を予め記憶しており、予測部４１１は、この位置情報と、サーバ９２から取得した情報とに基づいて空気の移動方向および移動速度を予測できる。したがって、予測部４１１は、予測される空気の移動方向および移動速度と、複数台の分散計測器Ｍ１〜Ｍ１６の計測結果とに基づいて、汚染空気が建物１に到達するか否かを予測する。さらに、予測部４１１は、汚染空気が建物１に到達すると予測した場合には、予測される空気の移動方向および移動速度と、複数台の分散計測器Ｍ１〜Ｍ１６の計測結果とに基づいて、到達タイミングを予測する。
【００６６】
予測部４１１は、このように観測地点の位置情報と風向および風速に関する情報とに基づいて予測を行う場合、汚染空気が内側の（建物１から第１の距離にある）分散計測器Ｍ１〜Ｍ８に到達するタイミングについても予測可能である。つまり、予測部４１１は、外側の（建物１から第２の距離にある）分散計測器Ｍ９〜Ｍ１６が異常値を計測すると、汚染空気が建物１に到達するタイミング（到達タイミング）だけでなく、汚染空気が内側の分散計測器Ｍ１〜Ｍ８に到達するタイミングも予測できる。
【００６７】
さらにまた、本実施形態では、制御装置４は、記憶部４４に記憶された複数台の分散計測器Ｍ１〜Ｍ１６の計測結果の履歴から汚染空気の拡散パターンを学習して予測部４１１での予測に用いるように構成されている。具体的には、記憶部４４は、複数台の分散計測器Ｍ１〜Ｍ１６の計測結果の履歴を、計測時における日付（あるいは季節）、現在時刻、各種の環境条件（温度、湿度、風向、風速）と対応付けて、一定期間（たとえば１ヵ月）分記憶している。汚染空気の拡散パターンは一意には決まらず、たとえば監視地域の地形や天候などによって大きく変わることがあるので、制御装置４は、過去の履歴から学習した汚染空気の拡散パターンを予測部４１１の予測に用いることにより、予測精度が向上する。
【００６８】
また、本実施形態では、制御装置４は、予測部４１１で汚染空気の到達が予測されてから所定時間の経過後に、個別計測器３で建物１内の空気質より建物１外の空気質の方が良好との計測結果が得られた場合、換気設備２を再稼動させるように構成されている。すなわち、制御装置４は、予測部４１１で汚染空気の到達が予測されると、換気設備２を一旦停止させるが、所定時間（たとえば５分）が経過しても、汚染空気が建物１に到達しない場合には、換気制御部４１２にて換気設備２を再稼動させる。
【００６９】
本実施形態においては、制御装置４は、さらに到着予測部４１５としての機能を処理部４１に有しているが、到着予測部４１５については後述する。
【００７０】
次に、本実施形態の換気システム１０の動作について図３を参照して説明する。ここでは、建物１内の空気質より建物１外の空気質の方が良好であり、制御装置４が、個別計測器３の計測結果に基づいて換気設備２を稼動させている場合を前提として説明する。また、制御装置４は、個別計測器３および分散計測器Ｍ１〜Ｍ１６の計測結果を定期的（たとえば１分毎）に監視（確認）していると仮定する。
【００７１】
この場合において、外側の（建物１から第２の距離にある）分散計測器Ｍ９〜Ｍ１６のいずれかが異常値を計測すると（Ｓ１：Ｙｅｓ）、制御装置４は、まずサーバ９２から風向および風速に関する情報を取得する（Ｓ２）。ここでは、建物１の北西に位置する分散計測器Ｍ１６が異常値を計測し、そのときの風向が「北西」、風速が「１０ｍ／ｓ」であったと仮定する。
【００７２】
制御装置４は、分散計測器Ｍ１〜Ｍ１６の計測結果および処理Ｓ２で取得した情報に基づいて、汚染空気が建物１に到達するか否かを予測する（Ｓ３）。制御装置４は、汚染空気が建物１に到達すると予測した場合（Ｓ３：Ｙｅｓ）、その汚染空気の到達タイミングを予測する（Ｓ４）。処理Ｓ４において、予測部４１１は、汚染空気が建物１に到達するタイミングだけでなく、分散計測器Ｍ１６と建物１との間（つまり建物１から第１の距離であって北西）に位置する分散計測器Ｍ８に汚染空気が到達するタイミングについても予測する。
【００７３】
ここでは一例として、分散計測器Ｍ１６から分散計測器Ｍ８までの距離は２ｋｍ、風速が１０ｍ／ｓであるから、予測部４１１は、汚染空気が分散計測器Ｍ８に到達するタイミングを、分散計測器Ｍ１６が異常値を計測してから２００ｓ後と予測する。同様に、分散計測器Ｍ１６から建物１までの距離は４ｋｍ、風速が１０ｍ／ｓであるから、予測部４１１は、汚染空気が建物１に到達するタイミングを、分散計測器Ｍ１６が異常値を計測してから４００ｓ後と予測する。
【００７４】
その後、制御装置４は、個別計測器３および分散計測器Ｍ１〜Ｍ１６の計測結果を監視する周期を短縮し（たとえば１分毎を１０秒毎とし）、空気質の監視を強化する（Ｓ５）。このとき、制御装置４は、少なくとも個別計測器３と、汚染空気の到達が予測される分散計測器Ｍ８とを対象として監視を強化（監視周期を短縮）すればよく、全ての分散計測器Ｍ０について監視を強化する必要はない。また、制御装置４は、汚染空気の拡散（広がり）も考慮する場合、汚染空気の到達が予測される分散計測器Ｍ８の周辺の分散計測器Ｍ１，Ｍ７を、監視を強化する対象に含めてもよい。
【００７５】
その後、制御装置４は、内側の（建物１から第１の距離にある）分散計測器Ｍ８が異常値を計測すると（Ｓ６：Ｙｅｓ）、汚染空気の到達タイミングに合わせて、汚染空気が建物１に到達する前に換気設備２を停止させ（Ｓ７）、空調設備を稼動させる（Ｓ８）。このとき、制御装置４は、予測部４１１で予測された汚染空気が分散計測器Ｍ８に到達するタイミングと、実際に分散計測器Ｍ８が異常値を計測したタイミングとの差に基づいて、予測部４１１で予測される汚染空気が建物１に到達するタイミングを補正する。
【００７６】
なお、制御装置４は、外側の分散計測器Ｍ９〜Ｍ１６で異常値が計測されない場合（Ｓ１：Ｎｏ）、あるいは予測部４１１で汚染空気が建物１に到達しないと予測された場合（Ｓ３：Ｎｏ）、Ｓ１に戻って処理を実行する。また、制御装置４は、内側の分散計測器Ｍ１〜Ｍ８で異常値が計測されない場合（Ｓ６：Ｎｏ）、Ｓ６に戻って処理を実行する。
【００７７】
また、他の動作例として、制御装置４は、外側の分散計測器Ｍ９〜Ｍ１６から建物１までの距離や、風向、風速等によっては、外側の分散計測器Ｍ９〜Ｍ１６のいずれかが異常値を計測した場合、すぐに換気設備２を停止させてもよい。この場合、制御装置４は、汚染空気が建物１に到達するか否かを予測する前に、まず換気設備２を停止させることになる。その際、制御装置４は、個別計測器３および分散計測器Ｍ１〜Ｍ１６の計測結果を監視する周期を短縮し、空気質の監視を強化する。したがって、制御装置４は、外側の分散計測器Ｍ９〜Ｍ１６のいずれかが異常値を計測してから汚染空気が建物１に到達するまでにあまり時間が掛からない場合でも、汚染空気が建物１に到達する前に換気設備２を停止させることができる。
【００７８】
その後、所定時間以内に、内側の分散計測器Ｍ１〜Ｍ８、あるいは個別計測器３が建物１外の空気質の異常値を計測した場合、制御装置４は、換気設備２を停止させたままとして空調設備を稼動させる。一方、内側の分散計測器Ｍ１〜Ｍ８と、個別計測器３とのいずれも建物１外の空気質の異常値を計測しないまま所定時間が経過した場合、制御装置４は、換気設備２を再稼動させる。なお、制御装置４は、換気設備２を再稼動させる場合でも、最初に異常値を計測した分散計測器Ｍ９〜Ｍ１６の計測結果が正常値に復帰するまでは、空気質の監視を強化（監視周期を短縮）した状態を継続することが望ましい。
【００７９】
さらに他の動作例として、制御装置４は、外側の分散計測器Ｍ９〜Ｍ１６のいずれかが異常値を計測した後、内側の分散計測器Ｍ１〜Ｍ８が異常値を計測する前に、個別計測器３が建物１外の空気質の異常値を計測した場合、すぐに換気設備２を停止させてもよい。このとき、制御装置４は、換気設備２を停止させつつ空調設備を稼動させることで、空調設備による空気質の改善に切り替える。したがって、制御装置４は、内側の分散計測器Ｍ１〜Ｍ８で異常値が計測されなかった場合にも、汚染空気が建物１に到達すればすぐに換気設備２を停止させることができる。
【００８０】
あるいは、制御装置４は、内側の分散計測器Ｍ１〜Ｍ８が異常値を計測すると、予測部４１１で予測される到達タイミングに関わらず、すぐに換気設備２を停止させ、空調設備を稼動させるように構成されていてもよい。この場合、制御装置４は、汚染空気の拡散が予測困難であっても、内側の分散計測器Ｍ１〜Ｍ８に汚染空気が到達した時点で換気設備２を停止させるので、汚染空気が建物１に到達する前に確実に換気設備２を停止させることができる。
【００８１】
以上説明した構成の換気システム１０によれば、制御装置４は、複数台の分散計測器Ｍ０の計測結果に基づいて、空気質が異常値を示す汚染空気が建物１に到達するか否かを予測する予測部４１１を有している。さらに制御装置４は、予測部４１１で汚染空気の到達が予測された場合、個別計測器３の計測結果にかかわらず換気設備２を停止させるように構成されている。
【００８２】
したがって、制御装置４は、建物１周辺に汚損空気が存在するような状況においては、そのことを事前に予測して換気設備２を停止させ、建物１外から建物１内に汚染空気が取り込まれてしまうことを回避できる。要するに、換気システム１０は、建物１内の空気質より建物１外の空気質の方が良好である場合には、建物１の換気を行うことにより建物１内の空気質を改善し、換気による建物１内の空気質の改善効果が期待できない場合には換気設備２を停止させる。その結果、換気システム１０は、換気設備２にてエネルギー（電力）を無駄に消費することなく、建物１の換気を行うことにより建物１内の空気質を改善できる。
【００８３】
また、本実施形態では、換気システム１０は、換気設備２とは別に建物１に設けられ建物１内の空気質を改善する空調設備（空気清浄機６１およびエアコン６２）をさらに備えている。制御装置４は、空調設備を制御する機能（空調制御部４１３）をさらに有し、少なくとも換気設備２を停止させる期間には空調設備を稼動させるように構成されている。そのため、換気システム１０は、換気設備２を停止期間には、空調設備により建物１内の空気質を改善することができ、換気以外の方法で建物１内の快適性を維持できる。
【００８４】
さらにまた、本実施形態では、予測部４１１は、汚染空気の到達が予測される場合、汚染空気が建物１に到達するタイミングを予測する機能をさらに有し、制御装置４は、予測部４１１で予測されたタイミングに合わせて換気設備２を停止させるように構成される。すなわち、制御装置４は、予測部４１１で建物１に汚染空気が到達すると予測された時点ですぐに換気設備２を停止させるのではなく、到達タイミングに合わせて換気設備２を停止させるので、換気設備２により建物１内の空気質を改善する期間を長く確保できる。
【００８５】
また、本実施形態においては、制御装置４は、観測地点の風向および風速に関する情報を取得する取得部４１４をさらに有し、取得部４１４にて取得した情報を用いて予測部４１１で予測を行うように構成されている。したがって、制御装置４は、予測部４１１での予測の精度が向上するという利点がある。
【００８６】
さらに、本実施形態では、制御装置４は、複数台の分散計測器Ｍ１〜Ｍ１６の計測結果の履歴を記憶する記憶部４４をさらに有し、記憶部４４に記憶された履歴から汚染空気の拡散パターンを学習して予測部４１１での予測に用いるように構成されている。したがって、制御装置４は、予測部４１１での予測の精度が向上するという利点がある。
【００８７】
さらにまた、本実施形態では、制御装置４は、予測部４１１で汚染空気の到達が予測されてから所定時間の経過後に、個別計測器３で建物１内の空気質より建物１外の空気質の方が良好との計測結果が得られた場合、換気設備２を再稼動させる。そのため、制御装置４は、汚染空気の到達が予測されたものの実際には汚染空気が建物１に到達しない場合には、換気設備２を再稼動させるので、換気設備２により建物１内の空気質を改善する期間を長く確保できる。
【００８８】
なお、本実施形態では、分散計測器Ｍ１〜Ｍ１６の計測結果は、管理装置９１で一元管理されているが、この構成に限らず、制御装置４で管理されていてもよい。また、制御装置４は、その機能の一部が他装置に設けられていてもよく、たとえば予測部４１１の機能が管理装置９１に設けられていてもよい。この場合、制御装置は、複数の装置（たとえば制御装置４と管理装置９１）からなり、汚染空気が建物１に到達するか否かについては管理装置９１で予測し、その予測結果に基づいて制御装置４で換気設備２を制御することになる。
【００８９】
ところで、本実施形態の換気システム１０では、制御装置４は、人が建物１へ到着するタイミングを予測する到着予測部４１５をさらに有し、到着予測部４１５で予測されるタイミングに合わせて建物１内の空気質を改善するように構成されている。
【００９０】
具体的には、到着予測部４１５は、ＧＰＳ（Global Positioning System）機能を有するユーザ端末７１の現在位置や位置変化などの情報を利用して、外出中のユーザ（家人）が建物１に到着（帰宅）する時刻を人が建物１に到着するタイミングとして予測する。制御装置４は、ユーザ端末７１の現在位置等の情報をインターネット８経由で随時取得可能である。つまり、ユーザは外出時にユーザ端末７１を携帯しているだけで、制御装置４において、人が建物１に到着するタイミング（以下、「帰宅タイミング」という）を予測できる。なお、到着予測部４１５は、時刻ではなく、人が建物１に到着するまでに掛かる時間によって帰宅タイミングを表してもよい。
【００９１】
換気設備２や空調設備は、稼動して建物１内の空気質をすぐに改善できるのではなく、空気質を改善するのにある程度の時間を要する。そこで、制御装置４は、到着予測部４１５で予測された帰宅タイミングに合わせて建物１内の空気質が改善されるように、予測された帰宅タイミングに基づいて換気設備２や空調設備（空気清浄機６１およびエアコン６２）を制御する。
【００９２】
制御装置４は、たとえばユーザが外出して建物１が無人になると換気設備２および空調設備を停止させ、且つ到着予測部４１５で予測された帰宅タイミングには建物１内の空気質が正常値となるように、帰宅タイミングに合わせて換気設備２や空調設備を制御する。これにより、換気システム１０は、建物１が無人の期間に換気設備２および空調設備による無駄な電力消費を抑えつつ、ユーザが建物１に到着（帰宅）するタイミングに合わせて建物１内の空気質を改善できる。
【００９３】
ここでは、制御装置４は、到着予測部４１５で予測される帰宅タイミングと建物１内の空気質の改善に要する時間とから、建物１内の空気質の改善の開始タイミングを逆算するように構成されている。そのため、換気システム１０は、ユーザが建物１に到着（帰宅）する頃には建物１内の空気質の改善を完了することができる。
【００９４】
また、制御装置４は、人が移動に要する時間や建物１内の空気質の改善に要する時間を学習し、到着予測部４１５での帰宅タイミングの予測や換気設備２および空調設備の制御に用いるように構成されている。
【００９５】
たとえば、制御装置４は、所定の場所（たとえば駅）から建物１までの移動に要する時間を都度計測して、その平均値を求めることで所定の場所から建物１までの移動に要する時間を学習し、帰宅タイミングを予測する。また、制御装置４は、ＧＰＳを利用してユーザの移動経路を識別して経路ごとに建物１までの移動に要する時間を学習し、ユーザが通っている経路に基づいて帰宅タイミングを予測する。ユーザ端末７１が歩数計の機能を有する場合には、制御装置４は、ユーザが所定の場所（たとえば駅）から建物１まで移動するのに要する総歩数を学習し、現在の歩数から帰宅タイミングを予測する。また、制御装置４は、建物１外の温度や湿度ごとに、所定時間内に調節可能な温度や湿度の最大変化量を学習し、建物１内を所定の温度、湿度に調節するのに要する時間を判断する。
【００９６】
なお、本実施形態では、図１に示す換気システム１０を例に説明したが、この換気システム１０は本発明の一態様に過ぎず、適宜の変更が可能である。すなわち、換気システム１０は、少なくとも制御装置４が、複数台の分散計測器Ｍ０の計測結果に基づいて汚染空気が建物１に到達するか否かを予測する予測部４１１を有し、汚染空気の到達が予測された場合換気設備２を停止させる構成であればよい。
【００９７】
たとえば、空調設備は適宜省略可能であり、また、制御装置４においては空調制御部４１３、取得部４１４、到着予測部４１５等はそれぞれ適宜省略可能である。さらに、制御装置４は、予測部４１１で汚染空気が建物１に到達するタイミングを予測する機能や、記憶部４４に記憶された履歴から汚染空気の拡散パターンを学習する機能についても適宜省略可能である。また、制御装置４は、予測部４１１で汚染空気の到達が予測されてから所定時間の経過後に、個別計測器３で建物１内の空気質より建物１外の空気質の方が良好との計測結果が得られた場合に換気設備２を再稼動させる機能についても適宜省略可能である。
【００９８】
（実施形態２）
本実施形態の換気システムは、高層マンション（集合住宅）のように複数の階層を有する建物に適用される点で実施形態１の換気システムとは相違する。以下、実施形態１と同様の構成については共通の符号を付して適宜説明を省略する。
【００９９】
本実施形態では、制御装置４は、階層ごとに換気設備２を制御し、予測部４１１で汚染空気の到達が予測された場合、汚染空気の到達が早い階層から順に換気設備２を停止させるように構成されている。
【０１００】
すなわち、風向、風速は地上高によって大きく異なるため、高層マンションなどの建物１においては、たとえば風向は同じでも地上高が大きい上層階ほど風速が速く、汚染空気の到達タイミングが上層階ほど早くなる場合がある。このような場合、制御装置４は、汚染空気の到達が早い階層、つまり高層階から順に換気設備２を停止させる。また、地形や近隣の建物との関係によっては、高層マンションなどの建物１において、汚染空気の到達タイミングが低層階や中層階ほど早くなる場合もある。このような場合、制御装置４は、汚染空気の到達が早い階層、つまり低層階や中層階から順に換気設備２を停止させる。
【０１０１】
したがって、制御装置４は、汚染空気の到達が早い階層については汚染空気が到達する前に確実に換気設備２を停止させることができ、汚染空気の到達が遅い階層については換気設備２により建物１内の空気質を改善する期間を長く確保できる。
【０１０２】
ここで、制御装置４は、階層ごとの汚染空気が到達する順番を、統計的に求めてもよいし、現在の風向、風速等から求めてもよい。たとえば、個別計測器３が階層ごとに設けられている場合には、制御装置４は、これら複数台の個別計測器３の計測結果の履歴から汚染空気の到達順を統計的に求めることができる。また、建物１の周囲の風向、風速等が複数の地上高について計測されている場合には、制御装置４は、これらの現在の計測結果から汚染空気の到達順を求めることが可能である。
【０１０３】
なお、集合住宅のような建物１においては、制御装置４は建物１全体で１台設けられていてもよいし、階層ごとに１台ずつ設けられていてもよいし、各住戸ごとに１台ずつ設けられていてもよい。
【０１０４】
その他の構成および機能は実施形態１と同様である。
【符号の説明】
【０１０５】
１  建物
２  換気設備
３  個別計測器
４  制御装置
４４  記憶部
６１  空気清浄機（空調設備）
６２  エアコン（空調設備）
１００  監視地域
４１１  予測部
４１４  取得部
４１５  到着予測部
Ｍ０，Ｍ１，Ｍ２，Ｍ３…  分散計測器
【図１】
2014222116.tif 000003
【図２】
2014222116.tif 000004
【図３】
2014222116.tif 000005